(57)【特許請求の範囲】
【請求項１】
容器体口頚部外周に嵌合させる装着キャップ４上部にポンプ本体５を横設するとともに、ポンプ本体の前部より下方へトリガー６を垂設し、且つ、トリガーの引き込みにより内部のポンプ機構が作動してポンプ本体先端に嵌着したノズルヘッド７の噴出口ａより液を噴出するトリガー式液体噴出ポンプに於いて、ポンプ本体５の射出筒８に順次嵌着させた第１接続部材Ａ及び第２接続部材Ｂを介してノズルヘッド７を嵌着してなり、第１接続部材Ａは、射出筒８外周先端部に前端面閉塞の筒状部９後部を密嵌固定させるとともに、筒状部９前部側面に一端を開口した筒軸10を側方に突設して構成し、第２接続部材Ｂは、筒軸10外面に回動可能に密嵌させた側端面閉塞の回動筒12外周面前端部を垂直基板13裏面に一体に連結するとともに、垂直基板13前面より支持筒14を突設し、且つ、支持筒内と回動筒内とを連通する流路ｃを設けて構成し、ノズルヘッド７は、支持筒14外周に嵌合させた装着筒16を前板17裏面より後方へ突設するとともに、前板17中央部に噴出口ａを開口して構成したことを特徴とするトリガー式液体噴出ポンプ。
【請求項２】
上記第１接続部材Ａの筒状部９後部を射出筒８外周先端部に回動可能に密嵌させてなる請求項１記載のトリガー式液体噴出ポンプ。
【発明の詳細な説明】
【０００１】
【発明の属する技術分野】
本発明はトリガー式液体噴出ポンプに関する。
【０００２】
【従来の技術】
トリガー式液体噴出ポンプとして、容器体口頚部外周に装着筒を嵌合させて容器体に装着し、装着筒上方に横設したポンプ本体の前部より下方へトリガーを垂設し、該トリガーを手前に引き寄せることにより、内部のポンプ機構の作用で容器体内の液を吸い上げてポンプ本体先端の射出筒より、ノズルヘッドを介して液を噴出する如く構成したものが一般に知られている。
【０００３】
従来のこの種ポンプでは、例えば図６に示す如く、射出筒50先端に接続部材51を介してノズルヘッド52を嵌着している。接続部材51は、射出筒50外周先端に嵌着した嵌合筒53前面を垂直板部54の裏面上部に連結し、垂直板部54の前面中央からは棒状突起55を、その周囲離間位置には支持筒56をそれぞれ突設し、垂直板部54に穿設した透孔ｘを介して嵌合筒53内と支持筒56内とを連通させる如く構成している。
また、ノズルヘッド52は、上記支持筒外周に回動可能に嵌合させた装着筒57を前板58より後方へ突設するとともに、前板58中央に噴出口ｙを開口して構成している。
【０００４】
【発明が解決しようとする課題】
上記従来のポンプを装着した液体噴出容器では、その液の噴出目的部位を目掛けて液の噴射を行い易いが、噴出目的部位が窪んだ部分等では的確に液の噴射を行えない虞があり、行えるとしても窮屈な態勢で行わなければならなかったり、時間が掛かったり、容易な噴出を行いにくい欠点がある。
本発明は、この様な欠点を解消するもので、吐出が困難な窪んだ噴出目的部位に対しても容易に且つ的確に液の噴出を行える優れたトリガー式液体噴出ポンプを提案するものである。
【０００５】
【課題を解決するための手段】
本請求項１発明のポンプは上記課題を解決するため、容器体口頚部外周に嵌合させる装着キャップ４上部にポンプ本体５を横設するとともに、ポンプ本体の前部より下方へトリガー６を垂設し、且つ、トリガーの引き込みにより内部のポンプ機構が作動してポンプ本体先端に嵌着したノズルヘッド７の噴出口ａより液を噴出するトリガー式液体噴出ポンプであって、ポンプ本体５の射出筒８に順次嵌着させた第１接続部材Ａ及び第２接続部材Ｂを介してノズルヘッド７を嵌着してなり、第１接続部材Ａは、射出筒８外周先端部に前端面閉塞の筒状部９後部を密嵌固定させるとともに、筒状部９前部側面に一端を開口した筒軸10を側方に突設して構成し、第２接続部材Ｂは、筒軸10外面に回動可能に密嵌させた側端面閉塞の回動筒12外周面前端部を垂直基板13裏面に一体に連結するとともに、垂直基板13前面より支持筒14を突設し、且つ、支持筒内と回動筒内とを連通する流路ｃを設けて構成し、ノズルヘッド７は、支持筒14外周に嵌合させた装着筒16を前板17裏面より後方へ突設するとともに、前板17中央部に噴出口ａを開口して構成したことを特徴とするトリガー式液体噴出ポンプとして構成した。
また、請求項２発明のポンプは、上記第１接続部材Ａの筒状部９後部を射出筒８外周先端部に回動可能に密嵌させてなる請求項１記載のトリガー式液体噴出ポンプとして構成した。
【０００６】
【発明の実施の形態】
以下、本発明の実施例の形態を図面を参照して説明する。
本発明のポンプ１は、容器体２の口頚部３外周に嵌合させる装着キャップ４上部にポンプ本体５を横設するとともに、ポンプ本体の前部より下方へトリガー６を垂設し、且つ、トリガーの引き込みにより内部のポンプ機構が作動してポンプ本体先端に嵌着したノズルヘッド７の噴出口ａより液を噴出するトリガー式液体噴出ポンプの改良に係わるものである。
本発明では、ポンプ本体５の射出筒８先端に順次嵌着させた第１接続部材Ａ及び第２接続部材Ｂを介してノズルヘッド７を嵌着させている。
【０００７】
第１接続部材Ａは、射出筒８外周先端部に前端面閉塞の筒状部９後部を密嵌固定させるとともに、筒状部９前部側面に一端を開口した筒軸10を側方に突設して構成している。
本実施例では筒状部９を、射出筒８外周先端部に密嵌させた円筒状の嵌合筒状部9aと、該嵌合筒状部9a前端面開口に後端面開口を連通させるとともに、嵌合筒状部9aの外周の略半分の横幅を有する前端面閉塞の矩形筒状部9bとで構成し、矩形筒状部9bの右側面が中心線上に位置し、その右側面に一端を開口して筒軸10を側方に突設している。矩形筒状部9bの前部は、側面視が前方へ突出する半円状をなし、且つ、上面から前面を介して下面に至る帯状湾曲面に形成している。
また、嵌合筒状部9aの先端開口部を略半分閉塞する仕切り板11裏面に射出筒８先端が当接し、また、仕切り板11裏面には凹溝ｂを凹設して液の円滑な流出を図っている。
【０００８】
また、第２接続部材Ｂは、上記筒軸10外面に回動可能に密嵌させた側端面閉塞の回動筒12外周面前端部を垂直基板13裏面に一体に連結するとともに、垂直基板13前面より支持筒14を突設し、且つ、支持筒内と回動筒内とを連通する流路ｃを設けて構成している。
本実施例では、回動筒12の左側縁部を二重筒状に構成して、内側12a を、筒軸10内面に回動可能に密嵌したシール部に構成し、外側12b を、筒軸10外面に回動可能に、且つ、突条相互の乗り越え係合により抜け出し不能に嵌合した回動嵌合部に構成している。
また、支持筒14内の垂直基板13前面中央部より前方へ、横円柱状部15を突設している。
【０００９】
ノズルヘッド７は、上記支持筒14外周に嵌合させた装着筒16を前板17裏面より後方へ突設するとともに、前板17中央部に噴出口ａを開口して構成したもので、その具体的構造は、従来のこの種ポンプに使用している形態のものであれば採用出来る。
本実施例では、前板17裏面中央部より後方へ突設した内筒18を、上記円柱状部15外周に回動可能に密嵌させ、この内筒18内面と円柱状部15外面に、それぞれ、凹溝ｄ，ｅを穿設して、支持筒14に対してノズルヘッド７を回動させることにより、両凹溝が連通或いは非連通して、支持筒14内と噴出口ａとが連通或いは非連通する如く構成している。円柱状部15外周の凹溝ｅは先端より後方途中までの長さに凹設し、また、内筒18の凹溝ｄは後端より前方途中までの長さに凹設し、図３或いは図５に示す如く、各凹溝の後端及び先端部分がノズルヘッド回動時に重なって、支持筒14内と噴出口ａとが連通する如く構成している。
また、前板17は中央部が後方へ凹んでおり、前板の周縁部より後方へ周壁19を突設している。
【００１０】
上記の如く構成したトリガー式噴出ポンプ１は、液を収納した容器体に装着して使用する。その際、必要に応じて回動筒12を筒軸10に対して回動する如くノズルヘッド７を上下動させれば、液の噴出の難しい窪み内の噴出目的部位に容易に且つ的確に液の噴出を行える。
【００１１】
図４及び図５は本請求項２発明の一実施例を示すもので、本発明のトリガー式液体噴出ポンプ１は、上記実施例に於いて、第１接続部材Ａの筒状部９後部を射出筒８外周先端部に回動可能に嵌合させて構成している。従って、本実施例のポンプでは、ノズルヘッド７が上下動は勿論、軸心を中心とした回動を行え、ノズルヘッド７の噴出口ａを、軸筒10より前方の三次元のあらゆる方向を向けることができる如く構成している。
本実施例では第１接続部材Ａを回動させる如く構成しているため、その抜け出しを防止する目的で、射出筒８の外周に設けた突条20を、第１接続部材Ａの嵌合筒状部9a内周に設けた凹溝21に回動可能に嵌合させている。
尚、上記各部材は合成樹脂により形成すると良く、必要に応じてエラストマー，金属等を併用すると良い。
【００１２】
【発明の効果】
以上説明した如く本発明トリガー式液体噴出ポンプは、既述構成としたことにより、特に、射出筒８外周先端部に前端面閉塞の筒状部９後部を密嵌固定させるとともに、筒状部９前部側面に一端を開口した筒軸10を側方に突設した第１接続部材Ａと、筒軸10外面に回動可能に密嵌させた側端面閉塞の回動筒12外周面前端部を垂直基板13裏面に一体に連結するとともに、垂直基板13前面より支持筒14を突設し、且つ、支持筒内と回動筒内とを連通する流路ｃを設けた第２接続部材Ｂとを介してノズルヘッド７を嵌着したので、筒軸10を中心としてノズルヘッドが上下方向に回動するため、液の噴出の難しい窪み内の噴出目的部位に容易且つ的確に液の噴出を行えるものである。
【００１３】
また、ノズルヘッドの突出幅も、筒状部前部程度余分に突出するだけであるため見栄えが悪くなることもなく、第１接続部材及び第２接続部材の各部材の構造も簡単であるため、製造上も容易に行える。
請求項２に記載の発明では、ノズルヘッドが軸筒より前方の三次元のあらゆる方向を向けるため、更に容易に複雑な形状の窪みにも的確に対応することができる。
【図面の簡単な説明】
【図１】本発明の一実施例を示す斜視図である。
【図２】同実施例の分解斜視図である。
【図３】同実施例の射出可能な状態に連通させたノズルヘッド嵌着部分の要部横断面図である。
【図４】本発明の他の実施例を示す斜視図である。
【図５】同実施例の射出可能な状態に連通させたノズルヘッド嵌着部分の要部横断面図である。
【図６】従来の容器のノズルヘッド嵌着部分の要部縦断面図である。
【符号の説明】
４…装着キャップ，５…ポンプ本体，６…トリガー，７…ノズルヘッド，
８…射出筒，９…筒状部，10…筒軸，12…回動筒，13…垂直基板，
14…支持筒，16…装着筒，17…前板，Ａ…第１接続部材，Ｂ…第２接続部材，
ａ…噴出口，ｃ…流路
【図１】
0003678884.tif 000002
【図２】
0003678884.tif 000003
【図３】
0003678884.tif 000004
【図４】
0003678884.tif 000005
【図５】
0003678884.tif 000006
【図６】
0003678884.tif 000007